(57)【要約】【課題】ズーム式カメラのズーム画像の光不足を解消する光走査装置を提供する。【解決手段】光偏向器３０は、内側圧電アクチュエータ４６及び外側圧電アクチュエータ４７の駆動電圧に応じて第１軸及び第２軸周りのミラー部４２の回動角を制御する。光走査装置６の駆動電圧生成部２３は、監視カメラ５からのズーム撮影範囲Ｉｇｚの特定情報に基づいて、対応する走査光の走査範囲を算出する。駆動電圧生成部２３は、走査範囲が小さいときほど、ミラー部４２の回動角範囲が小さくなるように、内側圧電アクチュエータ４６及び外側圧電アクチュエータ４７の駆動電圧を算出し、該駆動電圧を内側圧電アクチュエータ４６及び外側圧電アクチュエータ４７に供給する。【選択図】図４
2018066866.tif 000002
【特許請求の範囲】
【請求項１】
第１軸及び第２軸の２軸周りに往復回動して入射光を回動角に応じた方向に反射した走査光を出射するミラー部と、第１駆動電圧及び第２駆動電圧を供給され、前記第１軸周り及び前記第２軸周りの前記ミラー部の回動角を前記第１駆動電圧及び前記第２駆動電圧に応じて制御して、照射領域において前記第１軸周り及び前記第２軸周りのミラー部の往復回動に対応する２軸方向で前記走査光を走査させるアクチュエータとを有する光偏向器と、
前記ミラー部に向けて前記ミラー部の入射光としての光を出射する光源と、
撮影範囲を標準撮影範囲と該標準撮影範囲より内側にあって該標準撮影範囲より小さいズーム撮影範囲とに変更可能であるカメラから、該カメラにおいて設定している撮影範囲を特定する特定情報を受信し、受信した該特定情報に基づいて撮影範囲を特定し、特定した撮影範囲の大きさに応じて、大きさが小さいときほど、前記第１軸周り及び前記第２軸周りの前記ミラー部の往復回動角の変化幅の少なくとも一方が減少するように、前記第１駆動電圧及び前記第２駆動電圧の少なくとも一方を生成して、前記アクチュエータに出力する駆動電圧生成部とを備えることを特徴とする光走査装置。
【請求項２】
請求項１記載の光走査装置において、
前記アクチュエータは、前記第１駆動電圧を供給されて前記第１軸周りに前記ミラー部を往復回動させる第１圧電アクチュエータと、前記第２駆動電圧を供給されて前記第２軸周りに前記ミラー部を往復回動する第２圧電アクチュエータとから成り、
前記駆動電圧生成部は、
前記第１駆動電圧を、前記第１圧電アクチュエータが前記第１軸周りの前記ミラー部の共振周波数で前記ミラー部の往復回動させるように、生成し、
前記第２駆動電圧を、前記第２圧電アクチュエータが前記共振周波数より低い非共振周波数で前記第２軸周りに前記ミラー部の往復回動させるように生成し、
前記駆動電圧生成部は、前記第１駆動電圧及び前記第２駆動電圧の変化幅の変更により前記第１軸周り及び前記第２軸周りの前記ミラー部の往復回動角の変化幅を変更することを特徴とする光走査装置。
【請求項３】
請求項２記載の光走査装置において、
前記駆動電圧生成部は、第２駆動電圧に含めるバイアス電圧を変更することにより、前記第２軸周りのミラー部の往復回動に対応する方向の前記走査光の走査範囲の中心位置を変更ことを特徴とする光走査装置。
【請求項４】
請求項３記載の光走査装置において、
前記第１軸周りの前記ミラー部の往復回動角の変化幅に対応した走査光の照射可能範囲が、前記特定情報に基づいて特定した撮影範囲より広いときに、前記照射可能範囲のうち前記特定した撮影範囲以外の範囲では、前記光源を消灯する光源制御部を備えることを特徴とする光走査装置。
【請求項５】
請求項１〜４のいずれか１項に記載の光走査装置において、
前記カメラは、光学ズームカメラであり、
前記特定情報として、ズーム倍率が含まれることを特徴とする光走査装置。
【請求項６】
請求項１〜４のいずれか１項に記載の光走査装置において、
前記カメラは、デジタルズームカメラであり、
前記特定情報として、前記カメラにおいて設定されている撮影範囲が前記標準撮影範囲において占めている相対位置の情報が含まれることを特徴とする光走査装置。
【発明の詳細な説明】
【技術分野】
【０００１】
本発明は、カメラの撮影範囲を走査光で走査する光走査装置に関する。
【背景技術】
【０００２】
監視等のためにカメラが配備され、カメラにより所定範囲を撮影する際、夜間等では、カメラの撮像画像の輝度を確保するために、カメラと共に配備された照明器が点灯して、撮影範囲を明るくするシステムが知られている。
【０００３】
特許文献１は、照射範囲の大きさに応じて走査光の走査範囲を制御することにより、小さい照射範囲の照度を増大させる照明器を開示する。該照明器は、車両の前照灯ユニット内に配備される灯具ユニットとして使用され、ミラー部を所定の軸周りに周波数駆動（往復回動）させて、ミラー部から出射する走査光で車両前方の照射領域をラスタースキャンする光偏向器を備えている。該照明器は、車両から遠方に小さく見える照射対象物に対しては、ミラー部の振れ角の変化幅を減少させる。この結果、走査光が小さい照射対象物に集束し、照射対象物の照度が増大する。
【先行技術文献】
【特許文献】
【０００４】
【特許文献１】特開２０１４−２２３５２号公報
【発明の概要】
【発明が解決しようとする課題】
【０００５】
カメラでは、最大撮影範囲の標準撮影範囲に対して、標準撮影範囲内の一部を拡大して見るためのズーム撮影範囲が設定されることがある。カメラと併設される従来の照明装置は、撮影範囲全体を一律に照らすだけであるので、ズーム撮影範囲が設定されるとき、ズーム撮影範囲の照度が不十分となり、拡大ズーム画像が不鮮明になってしまう。
【０００６】
本発明の目的は、ズーム撮影範囲の光量不足を解消する光走査装置を提供することである。
【課題を解決するための手段】
【０００７】
本発明の光走査装置は、
第１軸及び第２軸の２軸周りに往復回動して入射光を回動角に応じた方向に反射した走査光を出射するミラー部と、第１駆動電圧及び第２駆動電圧を供給され、前記第１軸周り及び前記第２軸周りの前記ミラー部の回動角を前記第１駆動電圧及び前記第２駆動電圧に応じて制御して、照射領域において前記第１軸周り及び前記第２軸周りのミラー部の往復回動に対応する２軸方向で前記走査光を走査させるアクチュエータとを有する光偏向器と、
前記ミラー部に向けて前記ミラー部の入射光としての光を出射する光源と、
撮影範囲を標準撮影範囲と該標準撮影範囲より内側にあって該標準撮影範囲より小さいズーム撮影範囲とに変更可能であるカメラから、該カメラにおいて設定している撮影範囲を特定する特定情報を受信し、受信した該特定情報に基づいて撮影範囲を特定し、特定した撮影範囲の大きさに応じて、大きさが小さいときほど、前記第１軸周り及び前記第２軸周りの前記ミラー部の往復回動角の変化幅の少なくとも一方が減少するように、前記第１駆動電圧及び前記第２駆動電圧の少なくとも一方を生成して、前記アクチュエータに出力する駆動電圧生成部とを備えることを特徴とする。
【０００８】
本発明によれば、カメラからの撮影範囲の特定情報に基づいて撮影範囲を特定し、特定した撮影範囲の大きさに応じて、大きさが小さいときほど、第１軸周り及び第２軸周りのミラー部の往復回動角の変化幅の少なくとも一方が減少する。この結果、走査光が撮影範囲を長く照射することになり、撮影範囲の光量不足が解消される。
【０００９】
本発明の光走査装置において、前記アクチュエータは、前記第１駆動電圧を供給されて前記第１軸周りに前記ミラー部を往復回動させる第１圧電アクチュエータと、前記第２駆動電圧を供給されて前記第２軸周りに前記ミラー部を往復回動する第２圧電アクチュエータとから成り、前記駆動電圧生成部は、前記第１駆動電圧を、前記第１圧電アクチュエータが前記第１軸周りの前記ミラー部の共振周波数で前記ミラー部の往復回動させるように、生成し、前記第２駆動電圧を、前記第２圧電アクチュエータが前記共振周波数より低い非共振周波数で前記第２軸周りに前記ミラー部の往復回動させるように生成し、前記駆動電圧生成部は、前記第１駆動電圧及び前記第２駆動電圧の変化幅の変更により前記第１軸周り及び前記第２軸周りの前記ミラー部の往復回動角の変化幅を変更することが好ましい。
【００１０】
この構成によれば、第１圧電アクチュエータの第１駆動電圧及び第２圧電アクチュエータの第２駆動電圧の変化幅の変更により第１軸周り及び第２軸周りのミラー部の往復回動角の変化幅を撮影範囲に的確に合わせることができる。
【００１１】
本発明の光走査装置は、前記駆動電圧生成部は、第２駆動電圧に含めるバイアス電圧を変更することにより、前記第２軸周りのミラー部の往復回動に対応する方向の前記走査光の走査範囲の中心位置を変更ことが好ましい。
【００１２】
この構成によれば、第２軸周りのミラー部の往復回動に対応する方向への撮影範囲の変更に対して第２駆動電圧に含めるバイアス電圧を変更することにより、該方向への走査光の走査範囲の中心を撮影範囲の中心に合わせることができる。
【００１３】
本発明の光走査装置は、前記第１軸周りの前記ミラー部の往復回動角の変化幅に対応した走査光の照射可能範囲が、前記特定情報に基づいて特定した撮影範囲より広いときに、前記照射可能範囲のうち前記特定した撮影範囲以外の範囲では、前記光源を消灯する光源制御部を備えることが好ましい。
【００１４】
第１軸周りのミラー部の往復回動は、共振を利用するので、第１駆動電圧のバイアス電圧を変更することにより、走査領域を、第１軸周りのミラー部の往復回動に対応する方向に変更することは困難である。上記構成によれば、照射可能範囲のうち特定した撮影範囲以外の範囲では、光源を消灯する。これにより、光源の無駄な点灯を抑制することができる。
【００１５】
本発明の光走査装置は、前記カメラは、光学ズームカメラであり、前記特定情報として、ズーム倍率が含まれることが好ましい。
【００１６】
光学ズームカメラのズーム撮影範囲は、その中心及び縦横比が標準撮影範囲の中心及び縦横比と同一になっている。したがって、特定情報に、ズーム倍率を含めることにより、撮影範囲を特定することができる。
【００１７】
本発明の光走査装置は、前記カメラは、デジタルズームカメラであり、前記特定情報として、前記カメラにおいて設定されている撮影範囲が前記標準撮影範囲において占めている相対位置の情報が含まれることが好ましい。
【００１８】
デジタルズームカメラでは、ズーム撮影範囲の中心及び各辺の寸法を任意に設定できる。したがって、特定情報に、カメラにおいて設定されている撮影範囲が標準撮影範囲において占めている相対位置の情報を含めることにより、撮影範囲を特定することができる。
【図面の簡単な説明】
【００１９】
【図１】監視カメラによる監視場所の例としての夜間の公園を示す図。
【図２】光走査装置の構成図。
【図３】光偏向器の構造図。
【図４】映像プロセッサが実行する走査光の走査範囲制御処理のフローチャート。
【図５】監視カメラが光学ズームカメラである場合の標準撮影範囲とズーム撮影範囲との関係を示す図。
【図６】監視カメラがデジタルズームカメラである場合の標準撮影範囲とズーム撮影範囲との関係を示す図。
【図７】図７Ａは横軸方向ズーム倍率と横軸方向駆動電圧との関係を示したグラフ、図７Ｂは縦軸方向ズーム倍率と縦軸方向駆動電圧との関係を示したグラフ。
【図８】図８Ａは内側圧電アクチュエータの駆動電圧の時間変化を標準撮影範囲の撮影時とズーム撮影範囲の撮影時とで対比して示す図、図８Ｂは外側圧電アクチュエータの駆動電圧の時間変化を示す図。
【図９】光源制御部が実施する青色レーザの点灯制御の説明図。
【図１０】ズーム撮影範囲が標準撮影範囲より明るくなることについての説明図。
【図１１】光走査装置によるズーム撮影範囲の明るさの改善についての説明図。
【図１２】図１２Ａはズーム撮影範囲に応じてミラー部の振れ角を制御した場合の撮影範囲に対する光の投入量についての説明図、図１２Ｂはズーム撮影範囲に応じてミラー部の振れ角の制御を行わなかった場合の撮影範囲に対する光の投入量についての説明図。
【発明を実施するための形態】
【００２０】
（実施形態の構成）
図１は監視カメラ５による監視場所の例としての夜間の公園１を示している。立て札２は、ポール３とポール３の上端の案内板４とを有している。立て札２は、それに取付けられる監視カメラ５が公園１の全体を見渡せる位置に、立てられている。
【００２１】
監視カメラ５は、地上から約１ｍの高さ付近に取付け具７を介してポール３に取付けられ、公園１内に死角が生じないように、画角や向き等が設定されている。光走査装置６は、監視カメラ５の最大撮影範囲としての標準撮影範囲が、少なくとも走査光による最大走査範囲に一致させるか、最大走査範囲より内側になるように、監視カメラ５の近傍に取付け具７を介して取り付けられる。
【００２２】
この公園１には、立て札２の他に、ベンチ１１、花壇１２及び木１３が設けられ、人物１４ａ，１４ｂが出入りする。人物１４ａ，１４ｂの顔や姿は、監視カメラ５のズーム撮影対象である。人物１４ａ，４ｂの存否や位置は、監視カメラ５の撮像画像により検出できるとともに、監視カメラ５とは別に公園１内に配備した周知の人感センサ（図示せず）によっても検出することができる。監視カメラ５のズーム撮影範囲は、検出された人物１４ａ，４ｂを含むように、自動的に設定することができる。
【００２３】
図２は光走査装置６の構成図である。光走査装置６は、主要構成要素として駆動回路１７、青色レーザ２７、光偏向器３０、白色変換スクリーン３２及び結像レンズ３３を備える。映像プロセッサ１９は、駆動電圧生成部２３及び光源制御部２４を備える。映像プロセッサ１９は、汎用的なマイコンの構造を有し、バス配線で接続されたＣＰＵ、ＲＡＭ、ＲＯＭ及びインターフェース等の周知の素子を備える。
【００２４】
青色レーザ光は、光源としての青色レーザ２７から出射され、光偏向器３０に向かう。光偏向器３０は、駆動回路１７からの駆動電圧に応じた方向に青色レーザ光を偏向して、白色変換スクリーン３２に出射する。白色変換スクリーン３２は、蛍光体を含み、該蛍光体により青色レーザ光を可視光の白色光に変換する。白色光は、結像レンズ３３を経て、照射領域に向かう。
【００２５】
図３は、光偏向器３０の構造図である。光偏向器３０は、ＭＥＭＳ（Micro Electro Mechanical Systems）である。光偏向器３０の詳細は、例えば特開２０１２−２０３１８６号公報、特開２０１３−８４８０号公報及び特開２０１３−８４５３０号公報等に記載されているので、ここでは、光偏向器３０を概略的に説明する。
【００２６】
光偏向器３０は、主要要素としてミラー部４２、ミラー部４２を包囲する可動枠４３、及び可動枠４３を包囲する固定枠４４を備えている。説明の便宜上、図３において３軸直交座標を定義する。Ｘ軸は矩形の固定枠４４の長辺に対して平行であり、Ｙ軸は矩形の固定枠４４の短辺に対して平行であり、Ｚ軸は固定枠４４の厚み方向に平行となっている。光偏向器３０は、ミラー部４２等の可動要素を含んでいて、これら可動要素は位置が変動する。このため、さらに、説明の便宜上、ミラー部４２の前面（ミラー面）の法線がＺ軸に対して平行になった時の状態で光偏向器３０の構造を説明することにする。
【００２７】
トーションバー４５は、ミラー部４２からＹ軸方向に突出し、可動枠４３の内周に結合している。計４つの内側圧電アクチュエータ４６の各々は、Ｘ軸方向に延在し、両端部においてそれぞれ可動枠４３の内周とトーションバー４５の中間部とに結合している。
【００２８】
１対の外側圧電アクチュエータ４７は、Ｘ軸方向に可動枠４３の両側に配設され、両端部において可動枠４３と固定枠４４とに結合している。各外側圧電アクチュエータ４７は、ミアンダ配列で結合された複数の圧電カンチレバーの結合から成り、各圧電カンチレバーは、長手方向をＹ軸に平行な方向に揃えている。
【００２９】
固定枠４４の各短辺部には、複数の電極パッド４８が設けられている。各電極パッド４８は、配線（図示せず）を介して内側圧電アクチュエータ４６及び外側圧電アクチュエータ４７の圧電カンチレバーに形成されている圧電膜の電極に接続されている。
【００３０】
光偏向器３０の作用を概略的に説明する。詳細は、図４以降を参照して説明する。
【００３１】
ミラー部４２は、内側圧電アクチュエータ４６により第１軸（トーションバー４５の軸線）周りに往復回動させられる。この第１軸周りの往復回動の周波数は、第１軸周りのミラー部４２の共振周波数（例：３０ｋＨｚ）に合わせられる。
【００３２】
一方、ミラー部４２は、第１軸と交差する第２軸の周りに外側圧電アクチュエータ４７の作用により往復回動する。この例では、第２軸は、第１軸と共に、ミラー部４２のミラー面上に定義され、第１軸との交差角はほぼ直角に設定されている。第２軸周りの往復回動の周波数は、第２軸周りのミラー部４２の共振周波数とは無関係で、かつ第１軸周りのミラー部４２の共振周波数より十分に低い非共振周波数（例：６０Ｈｚ）に設定される。
【００３３】
外側圧電アクチュエータ４７の複数の圧電カンチレバーについて、Ｘ軸方向に固定枠４４から可動枠４３の方に順番に、すなわち基端側から先端側に順番に１番〜４番の番号を付ける。外側圧電アクチュエータ４７の作動時では、奇数番号の圧電カンチレバーと偶数番号の圧電カンチレバーとは、逆位相（位相差が１８０°である位相）の駆動電圧を圧電膜に印加されることにより、Ｚ軸方向の屈曲量の増減が逆位相になる。この結果、可動枠４３は、Ｘ軸周りに往復回動する。
【００３４】
ミラー部４２は，可動枠４３と一体にＸ軸周りに往復回動することにより、第２軸周りに往復回動する。ミラー部４２は、第１軸周りに前述の共振周波数で往復回動するので、第２軸とＸ軸とは一致しない。ミラー部４２のミラー面の法線がＺ軸に平行になった時のみ、第２軸とＸ軸とは一致する。
【００３５】
青色レーザ２７からミラー部４２のミラー面の中心に入射する入射光は、ミラー部４２の第１軸周り及び第２軸周りの回動角に関係する方向に反射する。反射光は、走査光として光偏向器３０から出射され、照射領域をラスタースキャンする。
【００３６】
（実施形態の作用）
図４は、映像プロセッサ１９が実行する走査光の走査範囲制御処理のフローチャートである。該走査範囲制御処理は、典型的には、１日のうちの夜間等の特定期間に一定の時間間隔で実行される。
【００３７】
図４のフローチャートには省略されているが、映像プロセッサ１９は、各監視期間の開始時に所定のキャリブレーション（較正処理）を実施する。図４の走査範囲制御処理は、該所定のキャリブレーションを終了してから実施される。所定のキャリブレーションでは、例えば、監視カメラ５の撮影範囲と光走査装置６の照射範囲とを整合させたり、監視カメラ５の撮影範囲に対する光走査装置６による走査光の照度を基準以上に調整したりする。
【００３８】
駆動電圧生成部２３は、ＳＴＥＰ１０１において監視カメラ５から、監視カメラ５において設定されている撮影範囲を特定する特定情報を受信したか否かを判定し、受信したならば、処理をＳＴＥＰ１０２に進ませ、受信していないならば、全処理を終了する。
【００３９】
監視カメラ５において設定されている撮影範囲を特定する特定情報は、監視カメラ５が光学ズームカメラである場合と、デジタルズームカメラである場合とで相違する。
【００４０】
特定情報の具体例について図５及び図６を参照して説明する。図５は監視カメラ５が光学ズームカメラである場合の標準撮影範囲Ｉｇｓとズーム撮影範囲Ｉｇｚ（例：Ｉｇｚ１，Ｉｇｚ２）との関係を示し、図６は監視カメラ５がデジタルズームカメラである場合の標準撮影範囲Ｉｇｓとズーム撮影範囲Ｉｇｚ（例：Ｉｇｚ１，Ｉｇｚ２）との関係を示している。
【００４１】
図５及び図６に記載されている各符号の定義は次のとおりである。
Ｉｇｓ：標準撮影範囲
Ｉｇｚ：ズーム撮影範囲
Ｏｓ：標準撮影範囲Ｉｇｓの中心
０ｇ：ズーム撮影範囲Ｉｇｚの中心
Ａｖ：標準撮影範囲Ｉｇｓの縦軸
Ａｈ：標準撮影範囲Ｉｇｓの横軸
Ｔｇ：人物１４の画像（人物画像）
Ｌｖｓ：標準撮影範囲Ｉｇｓの縦寸法
Ｌｈｓ：標準撮影範囲Ｉｇｓの横寸法
Ｌｖｚ：ズーム撮影範囲Ｉｇｚの縦寸法
Ｌｈｚ：ズーム撮影範囲Ｉｇｚの横寸法
なお、上記Ｌｖｓ等における寸法とは、後述の図１１の撮像素子５２上の寸法に相当する。
【００４２】
図５及び図６には、ズーム撮影範囲Ｉｇｚの例がそれぞれＩｇｚ１，Ｉｇｚ２の２つずつ記載されている。上記定義も含めて、Ｉｇｚ１，Ｉｇｚ２を特に区別しないときは、「Ｉｇｚ」と総称する。Ｏｇ１，Ｏｇ２を特に区別しないときは、「Ｏｇ」と総称している。
【００４３】
ズーム撮影範囲Ｉｇｚは、大きさ（寸法）が標準撮影範囲Ｉｇｓより小さいが、ズーム撮影範囲Ｉｇｚの画像は、標準撮影範囲Ｉｇｓの画像と等寸法又はそれより大きく拡大（ズーム）して、見るのに使用される。したがって、走査光の走査範囲を、各回ごとの撮影範囲に関係なく一律に標準撮影範囲Ｉｇｓに設定すると、標準撮影範囲Ｉｇｓより小さいズーム撮影範囲Ｉｇｚでは、単位撮影面積当たりの走査光の投入光量が標準撮影範囲Ｉｇｓにおける単位撮影面積当たりの走査光の投入光量より低下する。この結果、ズーム撮影範囲Ｉｇｚでは、照度が不足し、ズーム撮影範囲Ｉｇｚの拡大画像（ズーム画像）が、暗く、不鮮明になってしまう。
【００４４】
図５の光学ズームカメラでは、撮影範囲の中心は、撮影範囲の位置及び大きさに関係なく不変であり、標準撮影範囲Ｉｇｓの中心Ｏｓに一致する。また、アスペクト比も、撮影範囲（標準撮影範囲及びズーム撮影範囲）に関係なく、固定されている。すなわち、縦寸法Ｌｖｚ：横寸法Ｌｈｚ＝縦寸法Ｌｖｓ：横寸法Ｌｈｓである。これは、光学ズームカメラでは、ズーム撮影を標準撮影に対して焦点距離の変更で行っており、監視カメラ５の光軸は、標準撮影範囲及びズーム撮影範囲に関係なく不動だからである。
【００４５】
図６のデジタルズームカメラによるズーム撮影範囲Ｉｇｚでは、ズーム撮影範囲Ｉｇｚの中心Ｏｇの位置は、ズーム撮影範囲Ｉｇｚが標準撮影範囲Ｉｇｓ内に収まることを条件に、標準撮影範囲Ｉｇｓ内の任意の位置に設定することができる。また、縦寸法Ｌｖｚ及び横寸法Ｌｈｚも、ズーム撮影範囲Ｉｇｚが標準撮影範囲Ｉｇｓ内に収まることを条件に、任意に設定することができる。これは、デジタルズームカメラでは、ズーム撮影範囲Ｉｇｚの拡大前の画像を標準撮影範囲Ｉｇｓのからの画像部分の切り取る処理（トリミング）により任意に選定できるからである。ただし、デジタルズームカメラにおけるズーム撮影範囲Ｉｇｚの画像を形成する画素数は、標準撮影範囲Ｉｇｓの画像を形成する画素数に比して減少するので、画質は、デジタルズームカメラにおけるズーム画像の方が光学カメラにおけるズーム画像より幾分劣る。
【００４６】
図４のフローチャートに戻って、駆動電圧生成部２３がＳＴＥＰ１０１において監視カメラ５から受信する特定情報は、監視カメラ５においてこれから撮影しようとする撮影範囲を特定するものであり、かつ特定できるものになっている。
【００４７】
具体的には、監視カメラ５が光学ズームカメラである場合の特定情報は、ズーム倍率とする。ズーム倍率は、標準撮影範囲Ｉｇｓを撮影する時の焦点距離に対するズーム撮影範囲Ｉｇｚを撮影する時の焦点距離の比率である。図５の縦寸法Ｌｖｓ，Ｌｖｚ及び横寸法Ｌｈｓ，Ｌｈｇについて、Ｌｖｓ／Ｌｖｚ及びＬｈｓ／Ｌｈｇは、ズーム倍率に対して一義の関係を有している。
【００４８】
監視カメラ５がデジタルズームカメラである場合、ズーム撮影範囲Ｉｇｚの中心Ｏｇは、標準撮影範囲Ｉｇｓの中心Ｏｓとは別の位置に設定できる。また、Ｌｖｓ／Ｌｖｚ＝Ｌｈｓ／Ｌｈｇに限定されることなく、Ｌｖｓ／Ｌｖｚ≠Ｌｈｓ／Ｌｈｇとすることもできる。
【００４９】
監視カメラ５がデジタルズームカメラである場合について、「縦軸方向ズーム倍率」及び「横軸方向ズーム倍率」は次のように定義する。縦軸方向ズーム倍率とは、デジタルズームカメラのＬｖｓ／Ｌｖｚに対して、デジタルズームカメラを光学ズームカメラに置き換えたときの該光学ズームカメラにおけるＬｖｓ／Ｌｖｚに対応するズーム倍率とする。横軸方向ズーム倍率とは、デジタルズームカメラのＬｈｓ／Ｌｈｚに対して、デジタルズームカメラを光学ズームカメラに置き換えたときの該光学ズームカメラにおけるＬｈｓ／Ｌｈｚに対応するズーム倍率とする。
【００５０】
監視カメラ５がデジタルズームカメラである場合の特定情報は、監視カメラ５において設定されている撮影範囲が標準撮影範囲Ｉｇｓにおいて占めている相対位置（例：設定されている撮影範囲の各辺が標準撮影範囲Ｉｇｓにおいて占めている相対位置）の情報である。
【００５１】
ＳＴＥＰ１０２では、駆動電圧生成部２３は、監視カメラ５からの特定情報に基づいて撮影範囲を算出する。
【００５２】
ＳＴＥＰ１０３では、駆動電圧生成部２３は、特定した撮影範囲に基づいて光偏向器３０の内側圧電アクチュエータ４６及び外側圧電アクチュエータ４７の駆動電圧を算出し、光源制御部２４は、特定した撮影範囲に基づいて青色レーザ２７の点灯タイミングを算出する。
【００５３】
図７Ａは横軸方向ズーム倍率と横軸方向駆動電圧との関係を示したグラフであり、図７Ｂは縦軸方向ズーム倍率と縦軸方向駆動電圧との関係を示したグラフである。
【００５４】
光走査装置６は、第１軸周りのミラー部４２の往復回動により走査光を撮影範囲において横軸Ａｈ方向に走査させる。また、光走査装置６は、第２軸周りのミラー部４２の往復回動により走査光を撮影範囲において縦軸Ａｖ方向に走査させる。したがって、内側圧電アクチュエータ４６の圧電膜に供給する駆動電圧が、横軸方向駆動電圧となり、外側圧電アクチュエータ４７の圧電膜に供給する駆動電圧が、縦軸方向駆動電圧となる。図７Ｂの縦軸方向駆動電圧からは、中心Ｏｇを縦軸Ａｖ方向に変位させるバイアス電圧を除外し、縦軸Ａｖ方向の変化幅に関係する駆動電圧成分のみを示している。
【００５５】
なお、ミラー部４２に対して左側の内側圧電アクチュエータ４６と右側の内側圧電アクチュエータ４６との駆動電圧は、ミラー部４２を第１軸周りに往復回動させるために、相互に逆位相になる。図７Ａの駆動電圧は、左側又は右側の内側圧電アクチュエータ４６の駆動電圧である。
【００５６】
また、図３において説明したように、外側圧電アクチュエータ４７の奇数番号の圧電カンチレバーと、偶数番号の圧電カンチレバーとの駆動電圧は、Ｚ軸方向の変形量の増減を逆位相にするために、相互に逆位相となる。図７Ｂの駆動電圧は、奇数番号又は偶数番号の圧電カンチレバーに対する駆動電圧である。
【００５７】
内側圧電アクチュエータ４６及び外側圧電アクチュエータ４７のカンチレバーの圧電膜は、印加電圧としての駆動電圧が増大するほど、圧電膜の縮小量が増大する。そして、圧電膜の縮小量が増大するほど、カンチレバーの変形量が増大して、第１軸及び第２軸周りのミラー部４２の回動角は増大する。この結果、第１軸及び第２軸周りのミラー部４２の回動角の変化幅は、横軸Ａｈ方向及び縦軸Ａｖ方向の走査光の走査範囲の長さに対応する。
【００５８】
これらのことから、ＳＴＥＰ１０２で特定した撮影範囲を走査光で走査する場合には、該撮影範囲の縦軸Ａｖ方向及び横軸Ａｈ方向の長さが短いときほど、第１軸及び第２軸周りのミラー部４２の回動角の変化幅は小さくて済むことが理解できる。走査光の走査範囲を小さくするためには、駆動電圧の変化幅を減少させればよい。
【００５９】
図７に対応するデータを記憶したテーブルが映像プロセッサ１９のＲＯＭに記憶されている。駆動電圧生成部２３は、ＳＴＥＰ１０２で特定した撮影範囲に対応する横軸方向駆動電圧及び縦軸方向駆動電圧を、該テーブルの対応データを参照して、算出する。なお、その際、縦軸方向駆動電圧に含めるバイアス電圧も一緒に決める。該バイアス電圧は、中心Ｏｇ（例：Ｏｇ１，Ｏｇ２）の縦軸Ａｖ方向の位置座標を決める。
【００６０】
図８Ａは、内側圧電アクチュエータ４６の駆動電圧（横軸方向駆動電圧）の時間変化を標準撮影範囲Ｉｇｓの撮影時（実線）とズーム撮影範囲Ｉｇｚの撮影時（破線）とを対比して示している。図８Ｂは、外側圧電アクチュエータ４７の駆動電圧（縦軸方向駆動電圧）の時間変化を示している。
【００６１】
図８Ａにおいて、第１軸周りのミラー部４２の往復回動は、第１軸周りのミラー部４２の共振を利用するので、内側圧電アクチュエータ４６の駆動電圧は正弦波形となる。第１軸周りのミラー部４２の往復回動角の変化幅は、内側圧電アクチュエータ４６の駆動電圧の変化幅が小さいときほど、減少する。したがって、ズーム撮影範囲Ｉｇｚの撮影時の内側圧電アクチュエータ４６の駆動電圧（破線）の変化幅は、標準撮影範囲Ｉｇｓの撮影時の内側圧電アクチュエータ４６の駆動電圧（実線）の変化幅より減少させられる。
【００６２】
図８Ｂにおいて、外側圧電アクチュエータ４７の駆動電圧（縦軸方向駆動電圧）は、周期的に時間変化する増減成分電圧と、周期変化しないバイアス電圧との重畳から成る。第２軸周りのミラー部４２の往復回動は、一般に、共振を利用することなく、非共振となる。このため、縦軸方向駆動電圧に含まれる増減成分電圧は、正弦波だけでなく、図８Ｂに図示ののこぎり波形や三角波形も使用される。なお、図８Ｂにおいて、横軸の時間の単位及び縦軸の縦軸方向駆動電圧の単位は共に省略して、変化の特性のみが示されている。
【００６３】
縦軸方向駆動電圧に含まれる増減成分電圧の変化幅が大きいほど、第２軸周りのミラー部４２の往復回動角範囲は増大する。また、縦軸方向駆動電圧に含まれるバイアス電圧を増減することにより、増減成分電圧の中心電圧が上下動する。増減成分電圧の中心電圧は、第２軸周りのミラー部４２の往復回動角範囲の中心位置を決める。この光走査装置６では、増減成分電圧の中心電圧が高いときほど、ズーム撮影範囲Ｉｇｚの縦軸方向中心位置が上昇するように設定されている。
【００６４】
図９は、光源制御部２４が実施する青色レーザ２７の点灯制御の説明図である。前述したように、監視カメラ５がデジタルズームカメラである場合、ズーム撮影範囲Ｉｇｚは、標準撮影範囲Ｉｇｓ内に限定されることを条件にして、中心Ｏｇを標準撮影範囲Ｉｇｓ内の任意の位置に設定できるとともに、縦軸方向及び横軸方向のズーム倍率を任意に設定できる。
【００６５】
これに対し、光偏向器３０では、第１軸周りのミラー部４２の往復回動は、第１軸周りのミラー部４２の共振を利用する。したがって、第１軸周りのミラー部４２の往復回動の回動角の変化幅は、内側圧電アクチュエータ４６の駆動電圧の変化幅の増減により調整可能であるものの、第１軸周りのミラー部４２の往復回動範囲の中心は固定される。
【００６６】
すなわち、光偏向器３０による走査光の走査範囲の中心は、監視カメラ５の撮影範囲において縦軸Ａｖ方向には、外側圧電アクチュエータ４７の駆動電圧に含ませるバイアス電圧の変更により、縦軸方向走査周波数を一定に維持しつつ、任意に変更できる。これに対し、光偏向器３０による走査光の走査範囲の中心は、監視カメラ５の撮影範囲において横軸Ａｈ方向には、第１軸周りのミラー部４２の往復回動に共振を利用するために、変更不能であり、常に縦軸Ａｖ上に存在する。
【００６７】
その場合、ズーム撮影範囲Ｉｇｚの中心Ｏｇが、図９に示すように、縦軸Ａｖ上に対して横軸Ａｈ方向に偏倚している場合は、第１軸周りのミラー部４２の往復回動期間の全範囲にわたり、青色レーザ２７を点灯状態に維持すると、走査光はミラー部対応撮影範囲Ｉｇｗを走査することになる。ミラー部対応撮影範囲Ｉｇｗは、縦軸Ａｖ方向にはズーム撮影範囲Ｉｇｚと同一範囲にあるものの、横軸Ａｈ方向には、ズーム撮影範囲Ｉｇｚ内の範囲とズーム撮影範囲Ｉｇｚ外にある範囲との両方を含んでいる。ミラー部対応撮影範囲Ｉｇｗのうち、ズーム撮影範囲Ｉｇｚ外の範囲の走査光の走査は、青色レーザ２７の電力を無駄に消費していることを意味する。
【００６８】
これに対処し、光源制御部２４は、ミラー部４２の往復回動角範囲に相当するミラー部対応撮影範囲Ｉｇｗのうち、ズーム撮影範囲Ｉｇｚ外の範囲に相当する第１軸周りのミラー部４２の回動角範囲では、青色レーザ２７を消灯し、ズーム撮影範囲Ｉｇｚの範囲に相当する第１軸周りのミラー部４２の回動角範囲でのみ、青色レーザ２７を点灯することが望まれる。ＳＴＥＰ１０３における光源制御部２４による青色レーザ２７の点灯タイミングの算出は、この望ましい点灯制御（図９の「点灯」及び「消灯」を参照）が行われるように、行われる。
【００６９】
図４のフローチャートに戻って、ＳＴＥＰ１０４では、駆動電圧生成部２３は、ＳＴＥＰ１０３で算出した駆動電圧に基づいて光偏向器３０の内側圧電アクチュエータ４６及び外側圧電アクチュエータ４７を駆動する。この結果、ミラー部４２は、第１軸及び第２軸周りを標準撮影範囲Ｉｇｓ、ズーム撮影範囲Ｉｇｚ又はミラー部対応撮影範囲Ｉｇｗに対応する往復回動角で往復回動する。
【００７０】
ＳＴＥＰ１０５では、光源制御部２４は、ＳＴＥＰ１０３で算出した点灯タイミングに基づいて青色レーザ２７を制御する。すなわち、ミラー部対応撮影範囲Ｉｇｗのうち、Ｉｇｓに相当する第１軸周りのミラー部４２の回動角範囲においてのみ青色レーザ２７を点灯し、その他の回動角範囲においては青色レーザ２７を消灯する。
【００７１】
ＳＴＥＰ１０６では、駆動電圧生成部２３は、監視カメラ５から撮影処理終了を受信したか否かを判定し、受信したならば、全処理を終了する。また、受信していなければ、処理をＳＴＥＰ１０４に戻して、ＳＴＥＰ１０２で算出した走査範囲に対する走査光の走査を繰り返す。
【００７２】
（実施形態の効果）
図１０は、ズーム撮影範囲Ｉｇｚが標準撮影範囲Ｉｇｓより明るくなることについての説明図である。図１０Ａは走査光が標準撮影範囲Ｉｇｓをラスタースキャンしている状態を示し、図１０Ｂは走査光がズーム撮影範囲Ｉｇｚをラスタースキャンしている状態を示している。
【００７３】
光偏向器３０からの走査光のラスタースキャンの周期は、走査光の走査範囲の面積に関係なく同一である。したがって、走査光の走査範囲の面積が小さいときほど、走査光は単位面積当たり長く照射されるので、明るくなる。
【００７４】
光偏向器３０からの走査光による走査範囲は、走査光が標準撮影範囲Ｉｇｓを走査するときよりもズーム撮影範囲Ｉｇｚを走査するときの方が小さくなるので、ズーム撮影範囲Ｉｇｚは十分に明るくなり、拡大後のズーム画像を鮮明にすることができる。
【００７５】
図１１は、デジタルズーム式の監視カメラ５の撮像素子５２における標準撮影範囲Ｉｇｓ及びズーム撮影範囲Ｉｇｚの対応の画素５３を示している。標準撮影範囲Ｉｇｓでは、撮像素子５２の全部の画素５３が撮像画像の生成に寄与する。これに対し、ズーム撮影範囲Ｉｇｚでは、撮像素子５２の全部の画素５３うち、一部の画素５３のみが撮像画像の生成に寄与する。
【００７６】
光走査装置６による走査光の走査範囲を標準撮影範囲Ｉｇｓの走査範囲に一律に設定すると、ズーム撮影範囲Ｉｇｚの撮影時に、人物画像Ｔｇが走査光を反射して監視カメラ５の対応の画素５３に戻って来る反射光の光量が不十分となる。
【００７７】
これに対処し、光走査装置６は、人物画像Ｔｇが含まれているズーム撮影範囲Ｉｇｚに走査範囲を集中するので、人物画像Ｔｇが走査光を反射して監視カメラ５の対応の画素５３に戻って来る反射光の光量が増大する。この結果、対応の画素５３の出力から生成されるズーム画像の光量が増大し、拡大後のズーム画像を鮮明なものにすることができる。
【００７８】
図１２は、走査範囲を撮影範囲に整合させる制御を行った場合（図１２Ａ）と、行わなかった場合（図１２Ｂ）とでズーム撮影範囲Ｉｇｚに投入される光量が相異することを示した図である。
【００７９】
図１２において、青色レーザ２７の点灯状態及び時間軸の目盛りの数値は、単なる大小関係を示すのみであり、単位は有しない。光源（青色レーザ２７）の点灯状態において、数値「１」は点灯を意味し、数値「０」は消灯を意味している。走査光は、青色レーザ２７の点灯状態において光偏向器３０から出射される。
【００８０】
図１２において、青色レーザ２７が点灯と消灯とを繰り返しているのは、走査光の横軸方向走査では、駆動電圧として正弦波が使用されるからである（図８Ａ参照）。正弦波の全期間において青色レーザ２７を点灯させると、正弦波の上下方向両端の折返し部では、第１軸周りのミラー部４２の回動速度が０又は０に近い値になる。第１軸周りのミラー部４２の回動速度は、線形になることが望ましいので、光走査装置６は、正弦波の中間部分の線形区間でのみ、青色レーザ２７を点灯させて、走査光を生成し、正弦波の上下方向両端の折返し部では青色レーザ２７を消灯する。したがって、走査範囲に照度にむらが生じるのを防止している。
【００８１】
図１２において、青色レーザ２７の点灯期間の間の青色レーザ２７の各消灯期間は、正弦波の折返し部の区間に相当する。図１２における青色レーザ２７の各点灯期間は、走査光が走査範囲を図５の横軸Ａｈ方向の各走査に対応する。図１２における青色レーザ２７の点灯期間の回数、すなわち走査光が走査範囲を図５の横軸Ａｈ方向に走査する回数は、現実の回数を示すもではない。前述したように、第１軸周りのミラー部４２の往復回動は、共振を利用しており、例えば、３０ｋＨｚであり、本来であれば、図１２に記載する点灯期間は３万個になる。図１２は、ズーム撮影範囲Ｉｇｚの横軸方向走査回数が、走査範囲を撮影範囲に整合させる制御を行った場合と、行わなかった場合とで相違することを説明するための図であると理解すべきである。
【００８２】
図１２Ａは、光走査装置６が走査範囲を撮影範囲に整合させる制御を行った場合を示しており、縦軸方向駆動電圧の各サイクルにおける上昇期間の全体にわたり走査光が走査されている。すなわち、該上昇期間の全体が撮影範囲の走査期間になる。
【００８３】
図１２Ａの縦軸方向駆動電圧は光偏向器３０の外側圧電アクチュエータ４７の駆動電圧である。また、縦軸方向駆動電圧の上昇期間は、走査光が例えば図１０Ｂのズーム撮影範囲Ｉｇｚにおいて下から上に走査している期間であり、縦軸方向駆動電圧の下降期間は、ラスタースキャンの帰線期間に相当し、光源制御部２４は、レーザドライバ２０を介して青色レーザ２７を消灯する。
【００８４】
図１２Ｂでは、光走査装置６が走査範囲を撮影範囲に整合させる制御を行わない場合の青色レーザ２７の点灯状態を示している。この場合、撮影範囲が標準撮影範囲Ｉｇｓではなく、ズーム撮影範囲Ｉｇｚであるときは、該ズーム撮影範囲Ｉｇｚは、縦軸方向駆動電圧の各サイクルにおける上昇期間のうち、第１軸周りのミラー部４２の回動角が該ズーム撮影範囲Ｉｇｚに対応する範囲になったときのみ、走査光を走査される。すなわち、該上昇期間のうち一部のみが撮影範囲の走査期間になる。したがって、ズーム撮影範囲Ｉｇｚの光量が不足し、拡大ズーム画像は不鮮明な画質になってしまう。
【００８５】
（変形例）
実施形態の走査光は、可視光であるが、本発明の走査光は、赤外線光を採用することもできる。監視カメラ５は、標準撮影範囲Ｉｇｓ内でズーム撮影範囲Ｉｇｚを縦横に順次移動しつつ、各移動位置において赤外線の鮮明なズーム撮影範囲Ｉｇｚを生成する。これにより、公園１内の不審人物の居場所を正確に突き止めることができる。
【００８６】
なお、レーザ光から赤外線の走査光を生成する方法は、例えば、光源としての青色レーザ２７に代えて、赤色レーザを用いるとともに、白色変換スクリーン３２の蛍光体の種類を変更する。これにより、赤色レーザのレーザ光が、スクリーンの通過に伴い、周波数をダウンコンバートされて、赤外線の走査光として光偏向器３０から出射する。
【００８７】
実施形態の図９では、ズーム撮影範囲Ｉｇｚの縦寸法Ｌｖｚ及び横寸法Ｌｈｚに応じてミラー部対応撮影範囲Ｉｇｗが設定され、第１軸周り及び第２軸周りのミラー部４２の往復回動角の両方の変化幅が、ミラー部対応撮影範囲Ｉｇｗに合わせて、標準撮影範囲Ｉｇｓの撮影時の第１軸周り及び第２軸周りのミラー部４２の往復回動角の変化幅より減少されている。本発明の光走査装置では、例えば、図９のズーム撮影範囲Ｉｇｚに対してミラー部対応撮影範囲Ｉｇｗの縦寸法は、ズーム撮影範囲Ｉｇｚの縦寸法に等しく設定するものの、ミラー部対応撮影範囲Ｉｇｗの横寸法は、標準撮影範囲Ｉｇｓの横寸法Ｌｈｓに対して減少することなく、横寸法Ｌｈｓを維持してもよい。この場合は、外側圧電アクチュエータ４７の駆動電圧の変化幅は、標準撮影範囲Ｉｇｓの撮影時の変化幅に等しいので、本発明の第１軸周り及び第２軸周りのミラー部の往復回動角の変化幅の少なくとも一方が減少するように、第１駆動電圧及び第２駆動電圧の少なくとも一方を生成することに相当する。
【００８８】
実施形態では、光走査装置６が公園１に設置されている。本発明の光走査装置は、公園１以外に、屋内又は屋外の資材置き場の監視にも適用できる。さらに、車両等の移動体に装備されて、該移動体の周囲のズーム撮影範囲Ｉｇｚの撮影に適用することができる。
【００８９】
実施形態では、撮影範囲を標準撮影範囲とズーム撮影範囲とに変更可能であるカメラとしての監視カメラ５はスティルカメラとなっている。本発明のカメラは、ビデオカメラであってもよい。その場合、ビデオカメラは、撮影時に撮影を行うことを光走査装置６に通知するようにし、光走査装置６は、ビデオカメラから撮影開始の通知を受信すると、ビデオカメラから撮影終了の通知を受信するまで、走査を継続する。
【００９０】
実施形態では、第１圧電アクチュエータに相当しかつ第１駆動電圧で駆動される内側圧電アクチュエータ４６は、ミラー部４２を第１軸周りに共振周波数で往復回動させ、第２圧電アクチュエータに相当しかつ第２駆動電圧で駆動される外側圧電アクチュエータ４７は、ミラー部４２を第２軸周りに非共振周波数で往復回動させている。本発明の第１圧電アクチュエータ及び第２圧電アクチュエータは、共に、ミラー部を非共振周波数で駆動させるものであってもよい。
【符号の説明】
【００９１】
１・・・公園（撮影範囲）、５・・・監視カメラ（カメラ）、６・・・光走査装置、２３・・・駆動電圧生成部、２４・・・光源制御部、２７・・・青色レーザ（光源）、３０・・・光偏向器、４２・・・ミラー部、４６・・・内側圧電アクチュエータ（アクチュエータ）、４７・・・外側圧電アクチュエータ（アクチュエータ）、Ｉｇｓ・・・標準撮影範囲、Ｉｇｚ・・・ズーム撮影範囲。
【図１】
2018066866.tif 000003
【図２】
2018066866.tif 000004
【図３】
2018066866.tif 000005
【図４】
2018066866.tif 000006
【図５】
2018066866.tif 000007
【図６】
2018066866.tif 000008
【図７】
2018066866.tif 000009
【図８】
2018066866.tif 000010
【図９】
2018066866.tif 000011
【図１０】
2018066866.tif 000012
【図１１】
2018066866.tif 000013
【図１２】
2018066866.tif 000014